(57)【要約】【課題】サーバ装置のコントロールキューに複数の制御指示が既に蓄積されている場合でも、電力削減量の大きい制御指示の処理の遅延を防止することができる電力制御システム及び電力制御システムの制御方法を提供する。【解決手段】電力制御装置１０と、サーバ装置２０とを備える電力制御システムであって、サーバ装置２０は、負荷機器に対する複数の制御指示と、各制御指示による電力削減量に応じた重要度とをコントロールキュー２０３に格納し、電力制御装置１０は、ポーリングによりサーバ装置２０から制御指示を取得し、重要度が高いものから順番に制御指示を実行することを特徴とする。【選択図】図３
2014018044.tif 000002
【特許請求の範囲】
【請求項１】
電力制御装置と、サーバ装置とを備える電力制御システムであって、
前記サーバ装置は、負荷機器に対する複数の制御指示と、各制御指示による電力削減量に応じた重要度とをコントロールキューに格納し、
前記電力制御装置は、ポーリングにより前記サーバ装置から前記制御指示を取得し、前記重要度が高いものから順番に前記制御指示を実行することを特徴とする電力制御システム。
【請求項２】
前記サーバ装置は、同一の負荷機器にする複数の制御指示がある場合、前記複数の制御指示を集約した制御指示に変更して前記コントロールキューに格納することを特徴とする、請求項１に記載の電力制御システム。
【請求項３】
前記制御指示には有効期限が設定され、前記サーバ装置は前記有効期限が切れている制御指示を削除することを特徴とする、請求項２に記載の電力制御システム。
【請求項４】
前記電力制御装置は、ポーリングにより前記サーバ装置から前記制御指示を取得し、
前記電力制御装置はさらに、同一の負荷機器に対する複数の制御指示がある場合、前記複数の制御指示を集約した制御指示に変更して前記コントロールキューに格納することを特徴とする、請求項１に記載の電力制御システム。
【請求項５】
前記制御指示には有効期限が設定され、前記電力制御装置は前記有効期限が切れている制御指示を削除することを特徴とする、請求項４に記載の電力制御システム。
【請求項６】
電力制御装置と、サーバ装置とを備える電力制御システムの制御方法であって、
前記サーバ装置が、負荷機器に対する複数の制御指示と、各制御指示による電力削減量に応じた重要度とをコントロールキューに格納するステップと、
前記電力制御装置が、ポーリングにより前記サーバ装置から前記制御指示を取得し、前記重要度が高いものから順番に前記制御指示を実行するステップと、
を含むことを特徴とする電力制御システムの制御方法。
【請求項７】
前記サーバ装置が、同一の負荷機器に対する 複数の制御指示がある場合、前記複数の制御指示を集約した制御指示に変更して前記コントロールキューに格納するステップと、
を含むことを特徴とする、請求項６に記載の電力制御システムの制御方法。
【請求項８】
前記制御指示には有効期限が設定され、前記サーバ装置が前記有効期限が切れている制御指示を削除することを特徴とする、請求項７に記載の電力制御システムの制御方法。
【請求項９】
前記電力制御装置が、ポーリングにより前記サーバ装置から前記制御指示を取得するステップと、
前記電力制御装置がさらに、同一の負荷機器に対する複数の制御指示がある場合、前記複数の制御指示を集約した制御指示に変更して前記コントロールキューに格納するステップと、
を含むことを特徴とする、請求項６に記載の電力制御システムの制御方法。
【請求項１０】
前記制御指示には有効期限が設定され、前記電力制御装置は前記有効期限が切れている制御指示を削除することを特徴とする、請求項９に記載の電力制御システムの制御方法。
【発明の詳細な説明】
【技術分野】
【０００１】
本発明は、ＥＭＳサーバからの制御指示に基づいて、電力制御装置が負荷機器を制御する電力制御システム及び電力制御システムの制御方法に関する。
【背景技術】
【０００２】
近年、インターネットを介して、遠隔地から多様な機器を制御するシステムが提案されている（特許文献１参照）。インターネットなどのネットワークを介した機器の制御においてサーバが機器を直接制御するためには、制御対象の機器を一意に特定するグローバルＩＰアドレスなどの固有の識別番号が機器に割当てられる必要がある。制御対象となる機器の数に対して固有の識別番号は有限であり、すべての制御機器に固有の識別番号を割当てると、識別番号が枯渇するおそれがある。
【０００３】
そこで、インターネットなどのネットワークを介して機器を制御する際に、ローカルの制御装置からサーバにアクセスしてサーバからの制御指示を読取り、読取った制御指示に基づいて、ローカルの電力制御装置が負荷機器の制御を行うシステムが提案されている（特許文献２参照）。このようなポーリングによる制御指示を取得し、ローカルの制御装置が機器の制御を行う構成によれば、機器毎への固有の識別番号の割当が不要である。
【先行技術文献】
【特許文献】
【０００４】
【特許文献１】特開２００７−３３６１８０号公報
【特許文献２】特開２００９−２６０９１３号公報
【発明の概要】
【発明が解決しようとする課題】
【０００５】
従来は、電力制御装置がサーバから読み取り処理する制御指示は、サーバのコントロールキューに格納され、格納された時刻の順番に制御指示が読み取られ実行されていた。そのため、仮に電力削減量が大きい制御指示であっても、サーバのコントロールキューに複数の制御指示が既に蓄積されている場合には、当該複数の制御指示の読み取り及び実行を待たなければならず、電力削減量が大きい制御指示の処理が遅延してしまっていた。
【０００６】
従って、上記のような問題点に鑑みてなされた本発明の目的は、サーバのコントロールキューに複数の制御指示が既に蓄積されている場合でも、電力削減量の大きい制御指示の処理の遅延を防止することができる電力制御システム、及び電力制御システムの制御方法を提供することにある。
【課題を解決するための手段】
【０００７】
上記課題を解決するために本発明に係る電力制御システムは、
電力制御装置と、サーバ装置とを備える電力制御システムであって、
前記サーバ装置は、負荷機器に対する複数の制御指示と、各制御指示による電力削減量に応じた重要度とをコントロールキューに格納し、
前記電力制御装置は、ポーリングにより前記サーバ装置から前記制御指示を取得し、前記重要度が高いものから順番に前記制御指示を実行することを特徴とする。
【０００８】
また本発明に係る電力制御システムは、
前記サーバ装置が、同一の負荷機器に対する 複数の制御指示がある場合、前記複数の制御指示を集約した制御指示に変更して前記コントロールキューに格納することを特徴とする。
【０００９】
また本発明に係る電力制御システムは、
前記制御指示には有効期限が設定され、前記サーバ装置は前記有効期限が切れている制御指示を削除することを特徴とする。
【００１０】
また本発明に係る電力制御システムは、
前記電力制御装置が、ポーリングにより前記サーバ装置から前記制御指示を取得し、
前記電力制御装置がさらに、同一の負荷機器に対する複数の制御指示がある場合、前記複数の制御指示を集約した制御指示に変更して前記コントロールキューに格納することを特徴とする。
【００１１】
また本発明に係る電力制御システムは、
前記制御指示には有効期限が設定され、前記電力制御装置は前記有効期限が切れている制御指示を削除することを特徴とする。
【００１２】
また本発明に係る電力制御システムの制御方法は、
電力制御装置と、サーバ装置とを備える電力制御システムの制御方法であって、
前記サーバ装置が、負荷機器に対する複数の制御指示と、各制御指示による電力削減量に応じた重要度とをコントロールキューに格納するステップと、
前記電力制御装置が、ポーリングにより前記サーバ装置から前記制御指示を取得し、前記重要度が高いものから順番に前記制御指示を実行するステップと、
を含むことを特徴とする。
【００１３】
また本発明に係る電力制御システムの制御方法は、
前記サーバ装置が、同一の負荷機器にする複数の制御指示がある場合、前記複数の制御指示を集約した制御指示に変更して前記コントロールキューに格納するステップと、
を含むことを特徴とする。
【００１４】
また本発明に係る電力制御システムの制御方法は、
前記制御指示には有効期限が設定され、前記サーバ装置が前記有効期限が切れている制御指示を削除することを特徴とする。
【００１５】
また本発明に係る電力制御システムの制御方法は、
前記電力制御装置が、ポーリングにより前記サーバ装置から前記制御指示を取得するステップと、
前記電力制御装置がさらに、同一の負荷機器に対する複数の制御指示がある場合、前記複数の制御指示を集約した制御指示に変更して前記コントロールキューに格納するステップと、
を含むことを特徴とする。
【００１６】
また本発明に係る電力制御システムの制御方法は、
前記制御指示には有効期限が設定され、前記電力制御装置は前記有効期限が切れている制御指示を削除することを特徴とする。
【発明の効果】
【００１７】
本発明における電力制御システム及び電力制御システムの制御方法によれば、サーバ装置のコントロールキューに複数の制御指示が既に蓄積されている場合でも、電力削減量の大きい制御指示の処理の遅延を防止することができる。
【図面の簡単な説明】
【００１８】
【図１】実施の形態１に係る電力制御システムの概略構成を示す図である。
【図２】実施の形態１に係るＥＭＳサーバのコントロールキューに格納された情報を示す図である。
【図３】実施の形態１に係る電力制御装置の機能ブロック図である。
【図４】実施の形態１に係る電力制御システムの動作を示すフローチャートである。
【図５】実施の形態２に係る電力制御システムの動作を示すフローチャートである。
【図６】実施の形態３に係る電力制御システムの動作を示すフローチャートである。
【図７】実施の形態４に係るＥＭＳサーバのコントロールキューに格納された情報を示す図である。
【図８】実施の形態４に係る電力制御システムの動作を示すフローチャートである。
【図９】実施の形態４に係るＥＭＳサーバの動作を示すフローチャートである。
【発明を実施するための形態】
【００１９】
以下、本発明の実施の形態について説明する。
【００２０】
（実施の形態１）
まず、本発明の実施の形態１に係る電力制御装置を有する電力制御システムについて説明する。図１は、本発明の一実施形態に係る電力制御装置を含む電力制御システムの概略構成を示す通信システム構成図である。
【００２１】
図１に示すように、電力制御システムは、概略として電力制御装置１０と、ユーザ端末１１と、サーバ装置であるＥＭＳ（Ｅｎｅｒｇｙ Ｍａｎａｇｅｍｅｎｔ Ｓｙｓｔｅｍ）サーバ２０とを有する。
【００２２】
インターネット３０は、電力制御装置１０、ユーザ端末１１、およびＥＭＳサーバ２０を接続し、データおよび制御指示などの信号を通信する。また電力制御装置１０及びユーザ端末１１はそれぞれＬＡＮ（Ｌｏｃａｌ Ａｒｅａ Ｎｅｔｗｏｒｋ）４０内に存在する。
【００２３】
電力制御装置１０は、例えばＥＭＳ Ｇａｔｅｗａｙである。電力制御装置１０は、後述するセンサが検出する消費電力量などの測定値を、定期的にＥＭＳサーバ２０に送信する。また、電力制御装置１０は、ポーリングによりＥＭＳサーバ２０から、ＬＡＮ４０内に存在する負荷機器の制御指示を取得する。電力制御装置１０は、ＥＭＳサーバ２０から受信した制御指示に基づいて、ＬＡＮ４０内に存在する負荷機器を制御する。
【００２４】
ユーザ端末１１はディスプレイを有し、ＬＡＮ４０内に存在するセンサが測定した測定値及びＬＡＮ４０に存在する負荷機器の運転状態を表示可能である。ユーザ端末１１は、測定値及び制御状態を表示するときには、ＥＭＳサーバ２０にＨＴＴＰによりデータを取得し 、ユーザ端末１１のウェブブラウザが測定値表示ページを形成する。また、ユーザ端末１１において、ＬＡＮ４０内に存在する負荷機器の制御指示を発行する。制御指示の発行はウェブブラウザが構成する機器制御ページ上におけるユーザの操作の検出に基づく。ユーザ端末１１は、発行した制御指示をＥＭＳサーバ２０に送信する。
【００２５】
ＥＭＳサーバ２０は電力制御装置１０から送信される測定値を受信し、記憶する。また、ＥＭＳサーバ２０は、ユーザ端末１１が発行した制御指示を受付ける。また、ＥＭＳサーバ２０は、各負荷機器の制御指示を作成する。受付けた制御指示または作成した制御指示を、電力制御装置１０がポーリングにより読出す。また、ＥＭＳサーバ２０は、ＬＡＮ４０内に存在するセンサ情報の登録を受付け、また更新をする。
【００２６】
ＥＭＳサーバ２０は、データコレクタ２０１と、コントローラ２０２と、コントロールキュー２０３と、メモリ２０４とを有する。
【００２７】
データコレクタ２０１は、測定値およびセンサの登録情報を定期的に収集し、記憶又は更新する。
【００２８】
コントローラ２０２は、多様な目的を達成するように、多様なアルゴリズムで各負荷機器の制御指示を作成する。コントローラ２０２はさらに各制御指示に重要度を割当てる。重要度とは、当該制御指示による電力削減量 、電力削減制御に対する応答時間、安全性、快適性などに応じた重要さの程度を表しており、数値が高い程重要であることを示す。コントロールキュー２０３は、ユーザ端末１１から受付けた制御指示及びコントローラ２０２が作成した制御指示を格納する。またコントロールキュー２０３は、コントローラ２０２が割当てた重要度を格納する。
【００２９】
図２（ａ）にコントロールキュー２０３に格納された制御指示及び重要度を示す。図２（ａ）では、制御指示及び重要度をテーブルの形式により格納している。制御指示は、機器ＩＤと、機器名と、機器タイプと、制御内容と、指示発行時間とを含む。機器ＩＤとは、制御対象の負荷機器を一意に特定するための識別子である。機器名とは、機器の名称であり、機器タイプは機器の種類を示す。制御内容とは、制御指示による制御の具体的内容を示す。指示発行時間とは、制御指示がコントロールキュー２０３に格納された時刻を示す。図２（ａ）に示すとおり、例えば機器ＩＤが“ｒｅｓｏｕｒｃｅ０１”、機器名が“エアコンＡ”、機器タイプが“エアコン”、制御内容が“＋２”、指示発行時間が“２０１２／０６／２７ １１：００：４０”の制御指示と、当該制御指示に対応付けられた重要度が“３”とが格納されている。制御内容の“＋２”とは、エアコンの設定温度を２℃上げることを意味する。
【００３０】
そしてコントローラ２０２は、定期的にコントロールキュー２０３の制御指示を、重要度に基づき、重要度が高い順番に並べ替える。図２（ｂ）に、重要度に基づき並べ替えられた制御指示の例を示す。そしてＥＭＳサーバ２０が電力制御装置１０からポーリングを受けた場合、コントローラ２０２は、コントロールキュー２０３の重要度が高い順番に制御指示を読み取り、電力制御装置１０に渡す。またコントローラ２０２は、電力制御装置１０から、制御指示を実行した旨の通知を受信すると、コントロールキュー２０３における当該制御指示及び該制御指示に係る重要度を削除する。
【００３１】
メモリ２０４はコントローラ２０２が制御指示を作成するために用いる多様なデータを記憶する。
【００３２】
次に、電力制御装置１０による測定値の送信および負荷機器の制御について説明する。ＬＡＮ４０内には、第１のセンサ１２と、センサ管理部１３と、第２のセンサ１４と、第３のセンサ１９と、負荷機器１５〜１６と、電力制御装置１０と、ユーザ端末１１とが存在する。また、電力制御装置１０は、デマンド監視装置１７を介して電力計１８と接続する。図１では負荷機器が２台存在する例を示しているがこれに限られず、負荷機器は、１台であってもよく、３台以上であってもよい。
【００３３】
第１のセンサ１２は、例えば電流センサ、電力センサ、温度センサ、または照度センサなどの任意のセンサであって、ＬＡＮ４０内に存在する負荷機器１５及び１６の駆動状態に関する測定値を検出する。
【００３４】
センサ管理部１３は第１のセンサ１２から測定値を検出する。センサ管理部１３は例えばＺｉｇＢｅｅ（登録商標）のＳＥＰ２．０（Ｓｍａｒｔ Ｅｎｅｒｇｙ Ｐｒｏｆｉｌｅ  ２．０）およびＥｃｈｏｎｅｔ（登録商標）などの標準のプロトコルによって電力制御装置１０と定期的に通信する。
【００３５】
第２のセンサ１４は、例えば電流センサ、電力センサ、温度センサ、または照度センサなどの任意のセンサであって、ＬＡＮ４０内に存在する負荷機器１５〜１６の駆動状態に関する測定値を検出する。また、第１のセンサ１２と異なり、第２のセンサは独自のプロトコルによって電力制御装置１０と通信する。
【００３６】
第３のセンサ１９は、例えば電流センサ、電力センサ、温度センサ、または照度センサなどの任意のセンサであって、ＬＡＮ４０ａ内に存在する負荷機器１５〜１６の駆動状態に関する測定値を検出する。また、第１のセンサ１２および第２のセンサ１４と異なり、第３のセンサ１９は、例えばＳＥＰ２．０およびＥｃｈｏｎｅｔ（登録商標）などの標準のプロトコルによって電力制御装置１０と直接通信を行う。
【００３７】
負荷機器１５〜１６は、例えばエアコン、灯具、冷蔵庫などの電力に基づいて駆動する機器である。負荷機器１５〜１６は、温度調整、照度調整などの運転状態の調整が可能であり、これらの調整により負荷機器１５〜１６の消費電力が変動する。負荷機器１５〜１６は、ＳＥＰ２．０およびＥｃｈｏｎｅｔなどの標準のプロトコルによって電力制御装置１０と通信する。
【００３８】
前述のように電力制御装置１０は、センサ管理部１３および第２のセンサ１４と通信可能であり、第１のセンサ１２および第２のセンサ１４の測定値を、定期的にインターネット３０を介してＥＭＳサーバ２０に送信する。また、前述のように、電力制御装置１０はポーリングによりＥＭＳサーバ２０から、自己が属するＬＡＮ４０に存在する負荷機器１５〜１６の制御指示を取得し、当該制御指示に基づいて、負荷機器１５〜１６の運転状態を制御する。
【００３９】
また、電力制御装置１０は、デマンド監視装置１７の出力からデマンド時限の始期を認識する。また、電力制御装置１０は、後述するように、デマンド監視装置１７の出力から現時点のデマンド時限におけるＬＡＮ４０内の全負荷機器（負荷機器１５〜１６を含む）の消費電力の現在値を取得する。
【００４０】
前述のようにユーザ端末１１は、ＬＡＮ４０内に存在する第１のセンサ１２および第２のセンサ１４の測定値を表示し、各負荷機器１５〜１６の運転状態を表示する。また、前述のように、ユーザ端末１１において、各負荷機器１５〜１６の直接的な制御指示、例えば温度そのものの設定、照度そのものの設定の指示が可能である。
【００４１】
電力計１８は、デマンド時限における店舗毎の累積消費電力（以下、デマンド電力（使用電力）という。）を測定する。デマンド時限とは、店舗などを運営する事業者（需要家）および電力会社の契約電力の取決めに用いられる基準時間である。例えば、デマンド時限が３０分で契約電力が３００ｋＷである場合に、任意のデマンド時限において消費電力が一時的に３００ｋＷを超えても３０分間の平均値が３００ｋＷ未満であれば契約が履行されたことを意味する。電力計１８は、デマンド時限の始期にデマンド電力をリセットし、デマンド時限の始期から現在までのデマンド電力を測定する。デマンド時限の終期における消費電力を測定することにより、当該デマンド時限におけるデマンド電力を測定可能である。デマンド監視装置１７は、電力計１８が出力するパルスを読出し、電力制御装置１０に出力する。
【００４２】
図３は、本発明の一実施形態に係る電力制御装置１０の機能ブロックを詳細に示した図である。電力制御装置１０は、記憶部１０１と、指示取得部１０２と、制御部１０３とを備える。
【００４３】
記憶部１０１は、指示取得部１０２が取得した制御指示を記憶する。指示取得部１０２は、ポーリングを定期的に行うことにより、制御指示をＥＭＳサーバ２０から取得する。
【００４４】
制御部１０３は、電力制御装置１０に係る各種制御を行う。また制御部１０３は、ポーリングにより取得した制御指示を実行する。また制御部１０３は、制御指示を実行した旨の通知を、ＥＭＳサーバ２０に送信する。
【００４５】
次に、本発明の実施の形態１に係る電力制御システムについて、図４に示すフローチャートによりその動作を説明する。ここでコントロールキュー２０３には、あらかじめユーザ端末１１から受け付けた制御指示及びコントローラ２０２が作成した制御指示が格納されているものとして説明する。
【００４６】
はじめにＥＭＳサーバ２０のコントローラ２０２は、コントロールキュー２０３に格納された各制御指示に重要度を割当てる。そしてコントロールキュー２０３は、ユーザ端末１１から受付けた制御指示及びコントローラ２０２が作成した制御指示を格納する。またコントロールキュー２０３は、コントローラ２０２が割当てた重要度を格納する（ステップＳ１１）。
【００４７】
続いてコントローラ２０２は、コントロールキュー２０３の制御指示を、重要度に基づき、重要度が高い順番に並べ替える（ステップＳ１２）。
【００４８】
続いて電力制御装置１０の指示取得部１０２は、ポーリングを行う（ステップＳ１３）。当該ポーリングにより、ＥＭＳサーバ２０のコントロールキュー２０３における先頭の制御指示を１つ読み取る。つまりＥＭＳサーバ２０が電力制御装置１０からポーリングを受けた場合、コントローラ２０２は、コントロールキュー２０３の重要度が高い順番に制御指示を読み取り、電力制御装置１０に渡す。
【００４９】
続いて電力制御装置１０の制御部１０３は、ポーリングにより取得した制御指示を実行し（ステップＳ１４）、制御指示を実行した旨の通知を、ＥＭＳサーバ２０に送信する。（ステップＳ１５）。
【００５０】
ＥＭＳサーバ２０のコントローラ２０２は、電力制御装置１０から、制御指示を実行した旨の通知を受信すると、コントロールキュー２０３における当該制御指示及び該制御指示に係る重要度を削除する（ステップＳ１６）。そして処理が終了する。
【００５１】
このように本発明の実施の形態１によれば、ＥＭＳサーバ２０のコントローラ２０２が、コントロールキュー２０３の制御指示を、電力削減量に応じた重要度に基づき、重要度が高い順番に並べ替えて電力制御装置１０に当該制御指示を実行させるため、ＥＭＳサーバ２０のコントロールキュー２０３に複数の制御指示が既に蓄積されている場合でも、電力削減量の大きい制御指示の処理の遅延を防止することができる。
【００５２】
各制御指示には有効期限を設定しておき、キューの期限切れは削除する、すなわち当該有効期限が切れている制御指示を電力制御装置１０またはＥＭＳサーバ２０が削除するという処理を設けておくとなお良い。さらにポーリング時に電力制御装置１０は自己の管轄内のデマンド時限の始期、あるいはデマンド時限始期からの経過時間に関する情報をＥＭＳサーバ２０に対して送信するよう構成してもよい。そして、ＥＭＳサーバ２０はデマンド時限に関する情報に基づいて、自己のコントロールキュー２０３の制御指示のうち、デマンド時限内に完了しないこととなってしまう制御指示を判別し、これらに関してはコントロールキュー２０３から削除する、あるいは電力制御装置１０に対する応答メッセージの中に含めないようにすることにより通知しないようにしてもよい。
【００５３】
（実施の形態２）
以下に、本発明の実施の形態２について説明をする。実施の形態１と同一の構成については同一の符号を付し、説明は省略する。実施の形態２の電力制御システムは、実施の形態１にかかる構成と比較して、ＥＭＳサーバ２０のコントローラ２０２及びコントロールキュー２０３に係る処理が相違する。また、電力制御装置１０の指示取得部１０２及び制御部１０３に係る処理が異なる。
【００５４】
ＥＭＳサーバ２０のコントローラ２０２は、多様な目的を達成するように、多様なアルゴリズムで各負荷機器の制御指示を作成する。コントローラ２０２はさらに各制御指示に重要度を割当てる。またコントロールキュー２０３は、ユーザ端末１１から受付けた制御指示及びコントローラ２０２が作成した制御指示を格納する。またコントロールキュー２０３は、コントローラ２０２が割当てた重要度を格納する。またコントローラ２０２は、電力制御装置１０から、制御指示を実行した旨の通知を受信すると、コントロールキュー２０３における当該制御指示及び該制御指示に係る重要度を削除する。
【００５５】
さらにコントローラ２０２は、各制御指示のステータスをコントロールキュー２０３に格納する。ステータスは、当該制御指示が電力制御装置１０により取得されたか否かを示す。制御指示が取得されている場合、ステータスは“取得済”であり、制御指示が取得されていない場合、ステータスは“未”である。コントローラ２０２は、電力制御装置１０からポーリングを受けた場合、該ポーリングにより電力制御装置１０が取得した制御指示のステータスを、“未”から“取得済”に変更してコントロールキュー２０３に格納する。
【００５６】
電力制御装置１０の指示取得部１０２は、ＥＭＳサーバ２０のコントロールキュー２０３に格納された制御指示のうち、ステータスが“取得済”でない制御指示を全て取得する。
【００５７】
制御部１０３は、ポーリングにより取得した制御指示及び重要度を、記憶部１０１に格納する。また制御部１０３は、記憶部１０１に格納された制御指示を、重要度の高い順に実行する。また制御部１０３は、実行した制御指示を、記憶部１０１から削除する。また制御部１０３は、制御指示を実行した旨の通知を、ＥＭＳサーバ２０に送信する。
【００５８】
次に、本発明の実施の形態２に係る電力制御システムについて、図５に示すフローチャートによりその動作を説明する。実施の形態１に係る電力制御システムと同一の動作については同一の符号を付し、説明は省略する。
【００５９】
実施の形態２に係る電力制御システムにおいてはステップＳ１１の後、電力制御装置１０の指示取得部１０２は、ポーリングを行う（ステップＳ２３）。当該ポーリングにより、ＥＭＳサーバ２０のコントロールキュー２０３における制御指示のうち、ステータスが“取得済”でない制御指示を全て取得する。また当該ポーリングを受けると、ＥＭＳサーバ２０のコントローラ２０２は、ポーリングにより電力制御装置１０が取得した制御指示のステータスを、“未”から“取得済”に変更してコントロールキュー２０３に格納する（ステップＳ２４）。
【００６０】
続いて電力制御装置１０の制御部１０３は、ポーリングにより取得した制御指示及び重要度を、記憶部１０１に格納する（ステップＳ２５）。続いて制御部１０３は、記憶部１０１に格納された制御指示を、重要度の高い順に実行する（ステップＳ２６）。続いて制御部１０３は、実行した制御指示を、記憶部１０１から削除する（ステップＳ２７）。続くステップＳ１５及びステップＳ１６は、実施の形態１の動作と同一である。
【００６１】
このように本発明の実施の形態２によれば、ＥＭＳサーバ２０のコントローラ２０２が、コントロールキュー２０３の制御指示を、電力削減量に応じた重要度を割当て、電力制御装置１０が重要度に基づき当該制御指示を実行するため、ＥＭＳサーバ２０のコントロールキュー２０３に複数の制御指示が既に蓄積されている場合でも、電力削減量の大きい制御指示の処理の遅延を防止することができる。
【００６２】
（実施の形態３）
以下に、本発明の実施の形態３について説明をする。実施の形態１と同一の構成については同一の符号を付し、説明は省略する。実施の形態３の電力制御システムは、実施の形態１にかかる構成と比較して、ＥＭＳサーバ２０のコントローラ２０２に係る処理が相違する。また、電力制御装置１０の指示取得部１０２及び制御部１０３に係る処理が異なる。
【００６３】
ＥＭＳサーバ２０のコントローラ２０２は、多様な目的を達成するように、多様なアルゴリズムで各負荷機器の制御指示を作成する。コントローラ２０２はさらに各制御指示に重要度を割当てる。またコントロールキュー２０３は、ユーザ端末１１から受付けた制御指示及びコントローラ２０２が作成した制御指示を格納する。またコントロールキュー２０３は、コントローラ２０２が割当てた重要度を格納する。またコントローラ２０２は、電力制御装置１０から、制御指示を実行した旨の通知を受信すると、コントロールキュー２０３における当該制御指示及び該制御指示に係る重要度を削除する。
【００６４】
電力制御装置１０の指示取得部１０２は、ＥＭＳサーバ２０のコントロールキュー２０３に格納された制御指示を全て取得する。
【００６５】
制御部１０３は、ポーリングにより取得した制御指示及び重要度を、記憶部１０１に格納する。ここで制御部１０３は、過去に記憶部１０１に格納された制御指示が存在する場合、ポーリングにより取得した重要度に基づき、記憶部１０１の情報を更新する。そして制御指示また制御部１０３は、記憶部１０１に格納された制御指示を、重要度の高い順に実行する。また制御部１０３は、実行した制御指示を、記憶部１０１から削除する。また制御部１０３は、制御指示を実行した旨の通知を、ＥＭＳサーバ２０に送信する。
【００６６】
次に、本発明の実施の形態３に係る電力制御システムについて、図６に示すフローチャートによりその動作を説明する。実施の形態１に係る電力制御システムと同一の動作については同一の符号を付し、説明は省略する。
【００６７】
実施の形態３に係る電力制御システムにおいてはステップＳ１１の後、電力制御装置１０の指示取得部１０２は、ポーリングを行う（ステップＳ３３）。当該ポーリングにより、ＥＭＳサーバ２０のコントロールキュー２０３における制御指示を全て取得する。
【００６８】
続いて電力制御装置１０の制御部１０３は、ポーリングにより取得した制御指示及び重要度を、記憶部１０１に格納する（ステップＳ３４）。ここで制御部１０３は、過去に記憶部１０１に格納された制御指示が存在する場合、ポーリングにより取得した重要度に基づき、記憶部１０１の情報を更新する。
【００６９】
続いて制御部１０３は、記憶部１０１に格納された制御指示を、重要度の高い順に実行する（ステップＳ３５）。続いて制御部１０３は、実行した制御指示を、記憶部１０１から削除する（ステップＳ３６）。続くステップＳ１５及びステップＳ１６は、実施の形態１の動作と同一である。
【００７０】
このように本発明の実施の形態３によれば、ＥＭＳサーバ２０のコントローラ２０２が、コントロールキュー２０３の制御指示を、電力削減量に応じた重要度を割当て、電力制御装置１０が重要度に基づき当該制御指示を実行するため、ＥＭＳサーバ２０のコントロールキュー２０３に複数の制御指示が既に蓄積されている場合でも、電力削減量の大きい制御指示の処理の遅延を防止することができる。また、電力制御装置１０の指示取得部１０２が、ＥＭＳサーバ２０のコントロールキュー２０３に格納された制御指示を全て取得して、記憶部１０１に格納されている制御指示の重要度を更新するため、電力削減量の大きい制御指示の処理の遅延をより防止することができる。
【００７１】
（実施の形態４）
以下に、本発明の実施の形態４について説明をする。実施の形態１と同一の構成については同一の符号を付し、説明は省略する。実施の形態４の電力制御システムは、実施の形態１にかかる構成と比較して、ＥＭＳサーバ２０のコントローラ２０２に係る処理、及びコントロールキュー２０３に格納される情報が相違する。
【００７２】
実施の形態４のＥＭＳサーバ２０のコントローラ２０２は、実施の形態１におけるコントローラ２０２の処理に加えて、同一の負荷機器に対する複数の制御指示がある場合、当該複数の制御指示を、該複数の制御指示を集約した制御指示に変更する点が異なる。
【００７３】
実施の形態４に係るＥＭＳサーバ２０のコントロールキュー２０３に格納される制御指示の例を図７（ａ）に示す。図７（ａ）では、制御指示に、機器ＩＤと、機器名と、機器タイプと、制御内容と、指示発行時間に加えて、制御タイプ及び非集約フラグを含む。制御タイプとは、コントローラ２０２がコントロールキュー２０３に格納されている制御指示を集約する際に参照する値である。制御タイプが“１”である場合、コントローラ２０２は、指示発行時間が最新の制御指示のみを残すように集約する。一方制御タイプが“２”である場合、コントローラ２０２は、制御内容における数値を合算して集約する。非集約フラグとは、当該制御指示を集約する対象にしないことを示すフラグである。コントローラ２０２は、非集約フラグが“ｔｒｕｅ”の場合、当該制御指示を集約する対象にしない。一方コントローラ２０２は、非集約フラグが“ｆａｌｓｅ ”の場合、当該制御指示を集約する対象にする。
【００７４】
図７（ｂ）は、コントローラ２０２が、図７（ａ）の制御指示のテーブルを集約した場合の制御指示のテーブルを示す。例えば図７（ａ）には、同一の機器ＩＤ“ｒｅｓｏｕｒｃｅ０１”に対して同一の制御タイプの２つの制御指示が存在する（それぞれの制御内容は、“ＯＦＦ”及び“ＯＮ”）。これら２つの制御指示の制御タイプは“１”である。そして指示発行時間は、制御内容“ＯＮ”が最新である。従ってコントローラ２０２は、これら２つの制御指示を制御内容が“ＯＮ”の方に集約し、２つの制御指示を集約している。また例えば、図７（ａ）において、同一の機器ＩＤ“ｒｅｓｏｕｒｃｅ０１”に対して同一の制御タイプの２つの制御指示が存在する。それぞれの制御内容は、“−１”及び“＋３”である。これらはそれぞれ、エアコンの設定温度を１℃下げる、３℃上げることを意味する。そしてこれら２つの制御指示の制御タイプは“２”である。コントローラ２０２は、これら２つの制御指示を合算し、制御内容を“＋２”として２つの制御指示を集約している（図７（ｂ））。
【００７５】
またコントローラ２０２は、制御タイプが異なるものについても、指示発行時間に基づき無効である制御指示を削除して集約する。例えば、制御指示の内容が“ＯＦＦ”の後に、制御内容が“ＯＮ”以外の制御指示が存在する場合、当該後の制御指示を無効であるとして削除して集約する。例えば、図７（ａ）において、同一の機器ＩＤ“ｒｅｓｏｕｒｃｅ０３”に対して２つの制御指示が存在する（それぞれの制御内容は、“ＯＦＦ”及び“＋１”）。そして指示発行時間は、制御内容“ＯＦＦ”の方が先で、制御内容“＋１”が後である。この場合、コントローラ２０２は、制御指示の内容が“ＯＦＦ”の後に、制御内容が“ＯＮ”以外の制御指示が存在しているため、当該後の制御指示を無効であるとして削除して集約している（図７（ｂ））。
【００７６】
またコントローラ２０２は、非集約フラグが“ｔｒｕｅ”の制御指示については、集約対象にしない。例えば、図７（ａ）には、同一の機器ＩＤ“ｒｅｓｏｕｒｃｅ０２”に対して同一の制御タイプの２つの制御指示が存在する（それぞれの制御内容は、“ＯＦＦ”及び“ＯＮ”）。しかし非集約フラグは、いずれも“ｔｒｕｅ”である。この場合、コントローラ２０２は、当該制御指示を集約しない。当該非集約フラグは、例えば再起動、すなわち意図的に“ＯＦＦ”及び“ＯＮ”を実行する際に用いる。
【００７７】
次に、本発明の実施の形態４に係る電力制御システムについて、図８及び図９に示すフローチャートによりその動作を説明する。実施の形態１に係る電力制御システムと同一の動作については同一の符号を付し、説明は省略する。
【００７８】
実施の形態４に係る電力制御システムにおいてははじめにコントローラ２０２は、同一の負荷機器に対する複数の制御指示がある場合、当該複数の制御指示を、該複数の制御指示を集約した制御指示に変更する（ステップＳ４１）。以降の動作（ステップＳ１１〜ステップＳ１６）は実施の形態１と同一である。
【００７９】
ステップＳ４１における動作の詳細を、図９に示す。はじめにＥＭＳサーバ２０のコントローラ２０２は、コントロールキュー２０３の制御指示を参照し、同一機器に対する複数の制御指示を抽出する（ステップＳ４１１）。続いてコントローラ２０２は、抽出した複数の制御指示の非集約フラグが“ｆａｌｓｅ”か否かを判定する（ステップＳ４１２）。“ｆａｌｓｅ”である場合、ステップＳ４１３に進む。一方“ｆａｌｓｅ”でない場合、つまり“ｔｒｕｅ”である場合は、ステップＳ４１の処理が終了する。
【００８０】
ステップＳ４１２において、非集約フラグが“ｆａｌｓｅ”である場合、コントローラ２０２は、コントロールキュー２０３の複数の制御指示を集約して、コントロールキュー２０３に集約した制御指示を格納する。そしてステップＳ４１の処理が終了する。
【００８１】
このように本発明の実施の形態４によれば、ＥＭＳサーバ２０のコントローラ２０２が、コントロールキュー２０３の複数の制御指示を集約するため、ＥＭＳサーバ２０のコントロールキュー２０３に複数の制御指示が既に蓄積されている場合でも、制御指示を集約して処理速度を向上させるため、電力削減量の大きい制御指示の処理の遅延を防止することができる。
【００８２】
ここで、実施の形態４においては、ＥＭＳサーバ２０のコントローラ２０２が制御指示を集約する例を示したがこれに限られない。電力制御装置１０がポーリングにより複数の制御指示をＥＭＳサーバ２０から取得する場合、ＥＭＳサーバ２０のコントローラ２０２の替わりに、電力制御装置１０の制御部１０３が記憶部１０１に格納した制御指示を集約してもよい。
【００８３】
ここで、実施の形態４においては、ステップＳ１１及びステップＳ１２を行わなくてもよい。すなわち、重要度に基づきコントロールキュー２０３の制御指示を並べ替えず、制御指示を集約する処理のみを行ってもよい。
【００８４】
本発明を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各手段、各ステップ等に含まれる機能等は論理的に矛盾しないように再配置可能であり、複数の手段及びステップ等を１つに組み合わせたり、或いは分割したりすることが可能である。
【符号の説明】
【００８５】
１０  電力制御装置
１０１  記憶部
１０２  指示取得部
１０３  制御部
１１  ユーザ端末
１２  第１のセンサ
１３  センサ管理部
１４  第２のセンサ
１５〜１６  負荷機器
１７  デマンド監視装置
１８  電力計
１９  第３のセンサ
２０  ＥＭＳサーバ（サーバ装置）
３０  インターネット
４０  ＬＡＮ
２０１  データコレクタ
２０２  コントローラ
２０３  コントロールキュー
２０４  メモリ
【図１】
2014018044.tif 000003
【図２】
2014018044.tif 000004
【図３】
2014018044.tif 000005
【図４】
2014018044.tif 000006
【図５】
2014018044.tif 000007
【図６】
2014018044.tif 000008
【図７】
2014018044.tif 000009
【図８】
2014018044.tif 000010
【図９】
2014018044.tif 000011